(57)【要約】【課題】ユーザーによる機器の操作を高い精度で反映して表示内容を変更する。【解決手段】情報処理装置は、ユーザーの操作による操作対象の移動に関する情報を取得する位置情報取得部と、前記移動に関する情報に基づいて、表示内容を制御するための制御情報を生成する表示制御情報生成部と、を備え、前記表示制御情報生成部は、前記移動の第１の方向成分と第２の方向成分のうち、前記第１の方向成分を優先して前記制御情報を生成する。【選択図】図６
2013196156.tif 000002
【特許請求の範囲】
【請求項１】
ユーザーの操作による操作対象の移動に関する情報を取得する位置情報取得部と、
前記移動に関する情報に基づいて、表示内容を制御するための制御情報を生成する表示制御情報生成部と、を備え、
前記表示制御情報生成部は、前記移動の第１の方向成分と第２の方向成分のうち、前記第１の方向成分を優先して前記制御情報を生成する、情報処理装置。
【請求項２】
前記表示制御情報生成部は、前記移動の前記第２の方向成分をキャンセルして前記制御情報を生成する、請求項１に記載の情報処理装置。
【請求項３】
前記表示制御情報生成部は、前記移動の前記第２の方向成分の大きさが所定値以下の場合は前記移動の前記第２の方向成分をキャンセルして前記制御情報を生成する、請求項２に記載の情報処理装置。
【請求項４】
前記第１の方向成分は、前記表示内容を表示する装置に向かう方向に沿った前記移動の成分であり、前記第２の移動成分は前記表示内容を表示する装置に向かう方向と直行する方向に沿った成分である、請求項３に記載の情報処理装置。
【請求項５】
前記制御情報に基づいて、表示部に表示する表示内容を制御する表示制御部を更に備える、請求項１に記載の情報処理装置。
【請求項６】
被写体を撮像する撮像部を更に備え、
前記表示制御部は、前記撮像部で撮像された画像を含む前記表示内容を前記制御情報に基づいて制御する、請求項４に記載の情報処理装置。
【請求項７】
前記制御情報を、表示部を備える機器に送信する送信部を備える、請求項１に記載の情報処理装置。
【請求項８】
前記表示部を備える機器は撮像部を有し、
前記撮像部によって撮像される被撮像表示部と、
前記移動に関する情報に基づいて、前記被撮像表示部における表示内容を制御する被撮像表示制御部と、
を備える、請求項７に記載の情報処理装置。
【請求項９】
前記被撮像表示制御部は、前記移動に関する情報に基づいて、前記撮像部によって撮像される前記被撮像表示部の画像の範囲が変化しないように、前記被撮像表示部における表示内容を制御する、請求項８に記載の情報処理装置。
【請求項１０】
前記被撮像表示制御部は、前記移動に関する情報に基づいて、前記表示部を備える機器が近づいた場合は前記被撮像表示部における表示内容を縮小し、前記表示部を備える機器が遠ざかった場合は前記被撮像表示部における表示内容を拡大する、請求項８に記載の情報処理装置。
【請求項１１】
前記被撮像表示制御部は、前記移動に関する情報に基づいて、前記表示部を備える機器が上下左右方向に移動した場合は、当該移動の方向と同じ方向に前記被撮像表示部における表示内容を移動する、請求項８に記載の情報処理装置。
【請求項１２】
前記表示制御情報生成部は、前記移動に関する情報に基づいて前記所定値を変更する、請求項３に記載の情報処理装置。
【請求項１３】
前記表示制御部は、前記移動に関する情報に基づいて、前記表示部に表示された情報の中から対象を選択する処理を行う、請求項５に記載の情報処理装置。
【請求項１４】
前記表示制御部は、前記移動に関する情報に基づいて、前記表示部に表示された情報の詳細度を変更する、請求項５に記載の情報処理装置。
【請求項１５】
前記表示制御部は、前記移動に関する情報に基づいて、前記表示部に表示された情報の時系列的な内容を変更して表示する、請求項５に記載の情報処理装置。
【請求項１６】
ユーザーの操作による操作対象の移動に関する情報を取得することと、
前記移動の第１の方向成分と第２の方向成分のうち、前記第１の方向成分を優先して、前記移動に関する情報に基づいて、表示内容を制御するための制御情報を生成することと、
を備える、情報処理方法。
【請求項１７】
ユーザーの操作による操作対象の移動に関する情報を取得する手段、
前記移動の第１の方向成分と第２の方向成分のうち、前記第１の方向成分を優先して、前記移動に関する情報に基づいて、表示内容を制御するための制御情報を生成する手段、
としてコンピュータを機能させるためのプログラム。
【発明の詳細な説明】
【技術分野】
【０００１】
本開示は、情報処理装置、情報処理方法及びプログラムに関する。
【背景技術】
【０００２】
近時では、例えばスマートフォンなどの携帯機器のカメラで撮像した風景の表示画面上に、その場所に関する情報がオーバーレイする技術（ＡＲ；Ａｕｇｍｅｎｔｅｄ Ｒｅａｌｉｔｙ）が知られている。例えば、下記の特許文献１には、携帯型ディスプレイの画面に、現実世界の映像としてのテーブルと、相手の装置を表示し、テーブルの上に、コンピュータグラフィックス等で作成された３次元仮想物体を表示し現実世界の作業をしている最中でも、携帯型ディスプレイの画面に目を移すだけで、簡単に仮想世界の作業に切り換える技術が記載されている。
【先行技術文献】
【特許文献】
【０００３】
【特許文献１】特開平１０−５１７１１号公報
【発明の概要】
【発明が解決しようとする課題】
【０００４】
上記のようなＡＲの技術において、ユーザーが保持する携帯機器を所定の方向に移動し、移動量に応じて機器に表示される情報を変化させることで、ユーザーの操作性をより向上することができる。
【０００５】
しかしながら、複数の機器の移動方向に応じて異なる表示処理を行うことを想定した場合、ユーザーが意図した機器の移動方向を、機器側では異なる方向の動きとして認識してしまうと、所望の情報を表示することができない問題が発生する。
【０００６】
そこで、ユーザーによる機器の操作を高い精度で反映して表示内容を変更することが望ましい。
【課題を解決するための手段】
【０００７】
本開示によれば、ユーザーの操作による操作対象の移動に関する情報を取得する位置情報取得部と、前記移動に関する情報に基づいて、表示内容を制御するための制御情報を生成する表示制御情報生成部と、を備え、前記表示制御情報生成部は、前記移動の第１の方向成分と第２の方向成分のうち、前記第１の方向成分を優先して前記制御情報を生成する、情報処理装置が提供される。
【０００８】
また、前記表示制御情報生成部は、前記移動の前記第２の方向成分をキャンセルして前記制御情報を生成するものであってもよい。
【０００９】
また、前記所定方向は、前記表示内容を表示する装置に向かう第１の方向又は前記第１の方向と直交する第２の方向であっても良い。
【００１０】
また、前記表示制御情報生成部は、前記移動の前記第２の方向成分の大きさが所定値以下の場合は前記移動の前記第２の方向成分をキャンセルして前記制御情報を生成するものであってもよい。
【００１１】
また、前記第１の方向成分は、前記表示内容を表示する装置に向かう方向に沿った前記移動の成分であり、前記第２の移動成分は前記表示内容を表示する装置に向かう方向と直行する方向に沿った成分であってもよい。
【００１２】
また、前記制御情報に基づいて、表示部に表示する表示内容を制御する表示制御部を更に備えるものであってもよい。
【００１３】
また、被写体を撮像する撮像部を更に備え、前記表示制御部は、前記撮像部で撮像された画像を含む前記表示内容を前記制御情報に基づいて制御するものであってもよい。
【００１４】
また、前記制御情報を、表示部を備える機器に送信する送信部を備えるものであってもよい。
【００１５】
また、前記表示部を備える機器は撮像部を有し、前記撮像部によって撮像される被撮像表示部と、前記移動に関する情報に基づいて、前記被撮像表示部における表示内容を制御する被撮像表示制御部と、を備えるものであってもよい。
【００１６】
また、前記被撮像表示制御部は、前記移動に関する情報に基づいて、前記撮像部によって撮像される前記被撮像表示部の画像の範囲が変化しないように、前記被撮像表示部における表示内容を制御するものであってもよい。
【００１７】
また、前記被撮像表示制御部は、前記移動に関する情報に基づいて、前記表示部を備える機器が近づいた場合は前記被撮像表示部における表示内容を縮小し、前記表示部を備える機器が遠ざかった場合は前記被撮像表示部における表示内容を拡大するものであってもよい。
【００１８】
また、前記被撮像表示制御部は、前記移動に関する情報に基づいて、前記表示部を備える機器が上下左右方向に移動した場合は、当該移動の方向と同じ方向に前記被撮像表示部における表示内容を移動するものであってもよい。
【００１９】
また、前記表示制御情報生成部は、前記移動に関する情報に基づいて前記所定値を変更するものであってもよい。
【００２０】
また、前記表示制御部は、前記移動に関する情報に基づいて、前記表示部に表示された情報の中から対象を選択する処理を行うものであってもよい。
【００２１】
また、前記表示制御部は、前記移動に関する情報に基づいて、前記表示部に表示された情報の詳細度を変更するものであってもよい。
【００２２】
また、前記表示制御部は、前記移動に関する情報に基づいて、前記表示部に表示された情報の時系列的な内容を変更して表示するものであってもよい。
【００２３】
また、本開示によれば、ユーザーの操作による操作対象の移動に関する情報を取得することと、前記移動の第１の方向成分と第２の方向成分のうち、前記第１の方向成分を優先して、前記移動に関する情報に基づいて、表示内容を制御するための制御情報を生成することと、を備える、情報処理方法が提供される。
【００２４】
また、本開示によれば、ユーザーの操作による操作対象の移動に関する情報を取得する手段、前記移動の第１の方向成分と第２の方向成分のうち、前記第１の方向成分を優先して、前記移動に関する情報に基づいて、表示内容を制御するための制御情報を生成する手段、としてコンピュータを機能させるためのプログラムが提供される。
【発明の効果】
【００２５】
本開示によれば、ユーザーによる機器の操作を高い精度で反映して表示内容を変更することが可能となる。
【図面の簡単な説明】
【００２６】
【図１】空間に固定されている機器と、ユーザーが所有する機器の位置関係と移動に基づいたインタラクション（相互作用）を示す模式図である。
【図２】ユーザーが所有する機器の例を示す模式図である。
【図３】ユーザーが所有する機器の例を示す模式図である。
【図４】固定されている機器、ユーザーが所有する機器、及びユーザを上方から見た状態を示す模式図である。
【図５】固定されている機器、ユーザーが所有する機器、及びユーザを上方から見た状態を示す模式図である。
【図６】固定されている機器の構成を示すブロック図である。
【図７】ユーザーが所有する機器の構成を示すブロック図である。
【図８】ユーザーが機器を移動して操作した場合を示す模式図である。
【図９】固定された機器の表示部に多数のニュース情報が表示された例を示す模式図である。
【図１０】第１の実施形態のアルゴリズムを示すフローチャートである。
【図１１】図１０の判定ステップにおいて、上下左右方向、及び距離方向の移動であるか否かを判定するための仮想的な空間図形を示す模式図である。
【図１２】距離方向の移動による画面の破綻をキャンセルする例を示す模式図である。
【図１３】上下左右方向の移動による画面の破綻をキャンセルする例を示す模式図である。
【図１４】図１１の判断基準の空間図形において、領域１及び領域２を拡大した例を示す模式図である。
【図１５】固定された機器の表示部に対してユーザーが所有する機器が移動した場合に、図１４に示す判定領域を変化させた状態を示す模式図である。
【図１６】立体的なコンテンツ（３Ｄ画像）をユーザーが利用する場合を示す模式図である。
【図１７】ユーザーが所有する機器の距離方向の移動に伴い、表示部の表示が変化する例を示す模式図である。
【図１８】ニュースサイトの表示の例を示す模式図である。
【図１９】３Ｄコンテンツの表示の例を示す模式図である。
【発明を実施するための形態】
【００２７】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００２８】
なお、説明は以下の順序で行うものとする。
１．第１の実施形態
１．１．前提となる技術
１．２．本実施形態のシステム構成について
１．３．本実施形態の処理の例について
２．第２の実施形態（機器の移動に伴う画面の破綻をキャンセルする例）
３．第３の実施形態（使用するコンテンツ、機器のサイズ等に応じて判定基準を変更する例）
４．第４の実施形態（機器の移動に伴う表示内容の変化の具体例）
【００２９】
＜１．第１の実施形態＞
［１．１．前提となる技術］
まず、本実施形態の前提となる技術とその課題について説明する。図１に示すような、空間に固定されている機器１００と、ユーザーが所有する機器２００の位置関係と移動に基づいたインタラクション（相互作用）を想定する。
【００３０】
機器１００は、液晶ディスプレイなどの表示部１０２を備えた表示装置である。また、機器２００は、液晶ディスプレイなどの表示部２０２を備えた、タブレット端末、モバイル機器などの装置である。
【００３１】
図２及び図３は、ユーザーが所有する機器２００の例を示す模式図である。図２は、機器２００がハンドヘルドタイプの場合を示している。また、図３は、機器２００が身体に装着する眼鏡タイプの場合を示している。図３に示す例の場合、ユーザーは眼鏡に設けられた表示部に表示された情報を視認することができる。
【００３２】
図１に示すシステムにおいて、ユーザーが手元の機器２００を通して仮想空間中に配置された一つないし複数の仮想物体を見るシーンでは、ユーザー位置（機器２００の位置）は自由に移動することができる。
【００３３】
ここで、図１に示すように、固定されている機器１００を原点として、機器２００の上下左右方向の移動を対象情報の選択の操作として割り当て、距離方向（機器１００に対して近づく方向または離れる方向）の移動を情報の粒度（情報の詳しさ）の操作に割り当て、ユーザーが機器２００を移動することで情報を取得したり仮想空間内の物体とインタラクションしたりするシーンを想定する。この場合、ユーザーの三次元空間中の自由な移動を可能にすると、以下に挙げる問題が発生する。
【００３４】
図４及び図５は、機器１００、機器２００、及びユーザを上方から見た状態を示す模式図である。上述のように、ユーザーは、上下左右方向の機器２００の移動により対象情報の選択を行うことができる。しかし、図２に示すように、異なる種類の情報にアクセスしようとして、ユーザーが機器２００の上下左右の移動を行ったつもりが、固定されている機器１００との距離も変化してしまう場合がある。ユーザーの意図としては、機器１００と機器２００との距離、およびそれに対応して機器２００に表示される情報は変えずに、上下左右の機器２００の位置とそれに対応して機器２００に表示される情報を変えようとしているが、厳密な移動は困難であり、その結果、距離方向に対応した情報も変化してしまう。
【００３５】
また、図５に示すように、ユーザーが情報の粒度（情報の詳しさ）を変化させようとして、固定されている機器１００に近づいたり遠ざかる移動を行ったつもりが、上下左右方向の移動も行ってしまう場合も考えられる。ユーザーの意図としては、上下左右方向の機器２００の位置と、それに対応して機器２００に表示される情報を変えずに、固定された機器１００と機器２００との距離だけ変化させて、距離に対応して機器２００に表示される情報を変えようとしているが、固定機器１００との距離が最短になる経路上での厳密な移動は困難であり、その結果、上下左右方向に機器２００が移動し、対応して機器２００に表示される情報も変化してしまう。
【００３６】
そこで、本実施形態では、ユーザーの意図を正確に反映させた処理を行う。図６、及び図７は、本実施形態のシステムの概要を示す模式図である。
【００３７】
１．２．本実施形態のシステム構成について
図６は、機器１００の構成を示すブロック図である。また、図７は、機器２００の構成を示すブロック図である。図６に示すように、機器１００は、機器２００の移動を検出する検出部１０２、ＲＡＭ１０４、不揮発性メモリ１０６、表示部１０１、ＣＰＵ１１０、通信部１２０を有して構成される。
【００３８】
図７に示すように、機器２００は、ＲＡＭ２０４、不揮発性メモリ２０６、表示部２０１、ＣＰＵ２１０、通信部２２０、撮像部（カメラ）２３０を有して構成される。
【００３９】
図６及び図７に示す構成において、機器１００の検出部１０２は、機器２００の位置、及び移動を検出する。ＣＰＵ１１０は、検出部１０２から送られた機器２００の位置・移動に関する情報に基づいて、表示内容を制御するための制御情報を生成する。この制御情報は、ＣＰＵ１１０の指令に基づき、通信部１２０から機器２００へ送られる。また、機器１００は、表示部１０１に表示されている情報を、通信部１２０から機器２００へ送信することができる。
【００４０】
機器２００の撮像部２３０は、機器１００の表示部１０１を撮像する。撮像により得られた情報は、関連する情報とともに表示部２０１に表示される。また、機器２００の通信部２２０は、表示部１０１に表示された情報を通信部１２０から取得し、この情報を表示部２０１に表示することもできる。
【００４１】
機器２００の通信部２２０は、機器１００から送られた機器２００の位置・移動に関する情報を受信する。機器２００は、機器１００の表示部１０１に表示された情報を、表示部２０１に表示する。そして、機器２００は、機器１００から送られた機器２００の位置・移動に関する情報に基づいて、表示部２０１の表示内容を変更する。
【００４２】
機器１００のＣＰＵ１１０は、位置情報取得部１１０ａ、表示制御情報生成部１１０ｂ、表示制御部１１０ｃを備えている。位置情報取得部１１０ａは、検出部１０２で検出された、ユーザーの操作による移動に関する情報を取得する。表示制御情報生成部１１０ｂは、移動に関する情報に基づいて、表示内容を制御するための制御情報を生成し、移動の第１の方向成分と第２の方向成分のうち、第１の方向成分を優先して制御情報を生成する。特に、表示制御情報生成部１１０ｂは、移動が所定方向（上下左右方向または距離方向）の移動と所定方向以外の移動とを含む場合は所定方向以外の移動をキャンセルし、移動に関する情報に基づいて、表示内容を制御するための制御情報を生成することができる。表示制御部１１０ｃは、表示部１０１における表示内容を制御する。ここで、「優先して」とは、第１の方向成分が表示内容に与える影響の大きさが、第２の方向成分が表示内容に与える影響の大きさよりも大きい状態を表す。具体的には第１の方向成分に応じた表示内容の制御量に、第２の方向成分に応じた表示内容の制御量よりも大きな重みを与える状態、または、第２の方向成分に応じた表示内容の制御量に、第１の方向成分に応じた表示内容の制御量よりも小さな重みを与える状態、を表す。そのほか、第２の方向成分をキャンセル（無効に）し、第１の方向成分を有効にして制御情報を生成する場合も含む。
【００４３】
同様に、機器２００のＣＰＵ２１０は、位置情報取得部２１０ａ、表示制御情報生成部２１０ｂ、表示制御部２１０ｃを備えている。位置情報取得部２１０ａは、検出部２０２で検出された、ユーザーの操作による移動に関する情報を取得する。表示制御情報生成部２１０ｂは、移動に関する情報に基づいて、表示内容を制御するための制御情報を生成し、移動の第１の方向成分と第２の方向成分のうち、第１の方向成分を優先して制御情報を生成する。特に、表示制御情報生成部２１０ｂは、移動が所定方向（上下左右方向または距離方向）の移動と所定方向以外の移動とを含む場合は所定方向以外の移動をキャンセルし、移動に関する情報に基づいて、表示内容を制御するための制御情報を生成する。表示制御部２１０ｃは、表示部２０１における表示内容を制御する。
【００４４】
例えば、機器２００が上下左右方向に移動した場合、機器１００は、機器２００が上下左右方向に移動した旨の情報を機器２００へ送る。機器２００は、機器２００が上下左右方向に移動した旨の情報を受信すると、表示部２０１の表示内容を変更する。具体的には、上述したように、上下左右方向の移動を対象情報の選択の操作として捉え、機器２００は、上下左右方向の移動に応じて対象情報の選択操作を切り換える。表示の具体的な変化については、後で詳細に説明する。
【００４５】
機器１００、機器２００は、図４及び図５で示すような状況が発生した場合に、ユーザーが意図する方向の移動に基づいて、機器２００の表示内容を変化させる処理を行う。換言すれば、機器１００、機器２００は、ユーザーが意図しない方向の移動に関する情報はキャンセルする。
【００４６】
表示制御情報生成部１１０ｂ，２１０ｂは、図４で説明した状況が発生した場合に、機器２００の移動に関する情報のうち、距離方向の移動に関する情報（移動ベクトルＰ”）をキャンセルし、上下左右方向の移動に関する情報（移動ベクトルＰ’）のみに基づいて表示内容を制御するための制御情報を生成する。また、表示制御情報生成部１１０ｂ，２１０ｂは、距離方向の移動に関する情報（移動ベクトルＰ”）よりも、上下左右方向の移動に関する情報（移動ベクトルＰ’）に対してより大きな重み付けを与え、上下左右方向の移動に関する情報（移動ベクトルＰ’）を優先して制御情報を生成する。
【００４７】
また、表示制御情報生成部１１０ｂ，２１０ｂは、図５で説明した状況が発生した場合に、機器２００の移動に関する情報のうち、上下左右方向の移動に関する情報（移動ベクトルＱ”）をキャンセルし、距離方向の移動に関する情報（移動ベクトルＱ’）のみに基づいて表示内容を制御するための制御情報を生成する。また、表示制御情報生成部１１０ｂ，２１０ｂは、上下左右方向の移動に関する情報（移動ベクトルＱ”）よりも、距離方向の移動に関する情報（移動ベクトルＱ’）に対してより大きな重み付けを与え、距離方向の移動に関する情報（移動ベクトルＱ’）を優先して制御情報を生成する。
【００４８】
なお、表示制御情報生成部１１０ｂ，２１０ｂにおいて、ユーザーが意図しない方向の移動に関する処理をキャンセルして制御情報を生成する処理は、機器１００、機器２００のいずれか一方の表示制御情報生成部が行えばよい。
【００４９】
機器１００側で制御情報を生成した場合、通信部１２０から通信部２２０へ制御情報が送られて、機器２００の表示制御部２１０ｃは、制御情報に基づいて表示部２０１の表示を制御する。
【００５０】
また、機器２００側で制御情報を生成した場合、機器２００の表示制御部２１０ｃは、制御情報に基づいて表示部２０１の表示を制御する。この場合、機器１００の検出部１０２で検出された機器２００の位置、及び移動に関する情報は、通信部１２０から通信部２２０へ送られる。機器２００の表示制御情報生成部２１０ｂは、通信部２２０が受信した位置、及び移動に関する情報に基づいて、機器２００の移動が所定方向以外の移動を含む場合は当該移動に関する情報をキャンセルし、表示内容を制御するための制御情報を生成する。
【００５１】
なお、機器２００の撮像部２３０は、機器１００の所定の目印（例えば、機器１００の表示部１０１の枠など）を撮像することによって、この目印の大きさから機器２００の位置、及び移動に関する情報を取得することができる。従って、機器２００の位置、及び移動に関する情報は、機器２００の撮像部２３０が撮像した画像から検出することもできる。この場合、位置取得部２１０ｃは、撮像部２３０が撮像した画像から、ユーザーの操作による移動に関する情報を取得する。
【００５２】
図８は、ユーザーが機器２００を移動して操作した場合を示す模式図である。図８に示す例では、固定された機器１００の表示部１０１に広域の地図が表示され、ユーザーは手元の機器２００の撮像部２３０を機器１００側へかざす。これにより、機器２００は、固定された機器１００の表示部１０８に表示されている情報を取得し、この情報を表示部２０１に表示する。ユーザーは、表示部１０１に表示された情報を表示部２０８上で視認することができる。
【００５３】
このシステムにおいて、ユーザーによる機器２００の上下左右の動きは、ユーザーが注目する位置の移動として認識される。これにより、例えば機器２００の移動前に撮像部２３０が「日本」をフォーカスしており、地図上の「日本」が表示部２０１に表示されていた場合において、撮像部２３０が「韓国」をフォーカスする方向に機器２００が移動されると、機器２００の移動後には、その移動方向に基づいて「日本」以外の地域（「韓国」）が表示部２０１に表示される。このようにして、機器２００を上下左右方向に移動することで、ユーザーは選択する対象の情報を変更することができる。
【００５４】
また、ユーザーによる機器２００の距離方向の移動は、その地点の時代をさかのぼり時代毎の情報を選ぶ操作にマッピングされる。例えば、ユーザーが表示部２０１に「日本」を表示させた状態で機器２００を機器１００へより近づけると、「日本」についての過去の歴史に関する情報が表示され、機器１００と機器２００の距離が近くなるほど、より古い年代の情報が表示される。
【００５５】
図９に示す例では、固定された機器１００の表示部１０１に多数のニュース情報が表示され、ユーザーは手元の機器２００の撮像部２３０を機器１００にかざし、機器１００の表示部１０１に表示された情報を表示部２０１上で見る。このシステムでは、ユーザーの上下左右の動きは、ユーザーが注目するニュースを選択する操作として認識される。これにより、例えば移動前にあるニュース１が表示部２０１に表示されていた場合、機器２００の移動後には移動方向に基づいて他のニュース２が表示部２０１に表示される。
【００５６】
また、ユーザーによる機器２００の距離方向の移動は、ニュースの詳細情報、関連情報、過去の記事に関する情報を選ぶ操作にマッピングされる。例えば、ユーザーが表示部２０１に、あるニュース１を表示させた状態で機器２００を機器１００へより近づけると、そのニュース１について、更に詳細な情報、関連情報、過去の記事に関する情報等が表示される。
【００５７】
このように、本実施形態では、機器２００を上下左右に動かす操作と、機器６００を機器１００に近づける（または機器２００を機器１００から遠ざける）操作とで、異なる処理を行うことができる。
【００５８】
その一方、図４及び図５で説明したように、ユーザーが機器２００を操作した際に、ユーザが無意識のうちに上下方向の操作と距離方向の操作とを混在させて操作してしまうことが考えられる。例えば、ユーザーが機器２００を上下左右に動かした場合に、機器２００が距離方向に動く場合が考えられる。この場合、ユーザーが意図していない距離方向の動きが表示部２０１における表示処理に反映されてしまうと、ユーザーの感覚に違和感が生じてしまう。
【００５９】
このため、本実施形態では、ユーザーが機器２００の上下左右の操作を意図した際に、距離方向の動きが含まれていた場合は、距離方向の動きが所定のしきい値を超えていなければ、距離方向の動きが無かったものとみなすようにしている。同様に、ユーザが機器２００の距離方向の操作を意図した際に、その動きに上下左右の動きが含まれていた場合は、上下左右の動きが所定のしきい値を超えていなければ、上下左右方向の動きが無かったものとみなすようにしている。
【００６０】
１．３．本実施形態の処理の例について
図１０は、本実施形態のアルゴリズムを示すフローチャートである。図４に示したように、ユーザーによる機器２００の動きの移動ベクトルＰが、実質的に上下左右の移動であると判断できる範囲に収まっている場合、移動ベクトルＰを上下左右方向に射影した移動ベクトルＰ’を出力する。これにより、移動ベクトルＰ’に基づいて表示部２０１に表示する情報の選択が行われる。この場合、移動ベクトルＰを距離方向に射影した移動ベクトルＰ”は無視されるため、表示部２０１に表示される情報の粒度（詳しさ）は変化しない。
【００６１】
また、図５に示したように、ユーザーによる機器２００の移動ベクトルＱが、実質的に距離方向の移動であると判断できる範囲に収まっている場合、移動ベクトルＱを機器１００からの距離方向に射影した移動ベクトルＱ’を出力する。これにより、移動ベクトルＱ’に基づいて表示部２０１に表示する情報の粒度（詳しさ）が変更される。この場合、移動ベクトルＱを距離方向に射影した移動ベクトルＱ”は無視されるため、表示部２０１に表示される情報が他の情報に切り換えられることはない。
【００６２】
以下、図１０に基づいてアルゴリズムを説明する。先ず、ステップＳ１０では、判定を開始する。次のステップＳ１２では、機器２００への入力があるか否かを判定する。入力がある場合はステップＳ１４へ進み、入力がない場合はステップＳ１０へ戻る。
【００６３】
ステップＳ１４では、機器２００の移動ベクトルを検出し、次のステップＳ１６へ進む。ステップＳ１６では、機器２００の移動ベクトルが上下左右方向移動への近似範囲内であるか否かを判定し、近似範囲内の場合はステップＳ１８へ進む。ステップＳ１８では、移動ベクトルを上下左右方向に射影して出力する。
【００６４】
一方、ステップＳ１６において、移動ベクトルが上下左右方向移動への近似範囲内でない場合は、ステップＳ２０へ進む。ステップＳ２０では、移動ベクトルが距離方向移動への近似範囲内であるか否かを判定する。
【００６５】
ステップＳ２０において、移動ベクトルが距離方向移動への近似範囲内である場合は、ステップＳ２２へ進む。ステップＳ２２では、移動ベクトルを距離方向移動に射影して出力する。
【００６６】
また、ステップＳ２０において、移動ベクトルが距離方向移動への近似範囲内でない場合は、ステップＳ２４へ進む。ステップＳ２４では、移動ベクトルをそのまま出力する。この場合、距離方向の移動に基づく表示処理と、上下左右方向の移動に基づく表示処理の双方が表示部２０１上で行われる。
【００６７】
以上のように、図１０のフローチャートの処理によれば、機器２００の移動ベクトルが上下左右方向移動への近似範囲内の場合は、移動ベクトルを上下左右方向に射影して出力するため、距離方向の移動が無かったものとして処理を行うことができる。
【００６８】
また、機器２００の移動ベクトルが距離方向移動の近似範囲内であるときは、移動ベクトルを距離方向移動に射影して出力するため、上下左右方向の移動が無かったものとして処理を行うことができる。
【００６９】
以上のように、ユーザーによる機器２００の移動を、上下左右方向と距離方向の移動に分け、ユーザーの操作意図に基づいていずれか一方の移動を無視することで、ユーザーが意図しない操作を防ぐことができる。従って、ユーザーの意図を確実に反映させることができ、機器２００に所望の情報を表示させることが可能である。
【００７０】
図１１は、図１０の判定ステップ（ステップＳ１６，Ｓ２０）において、上下左右方向、及び距離方向の移動であるか否かを判定するための仮想的な空間図形を示す模式図である。ここでは、図１１に示すハッチングを付加した領域１，２をｚ軸を中心として回転させた回転体を想定する。
【００７１】
ユーザーによる機器２００の操作に上下左右方向と距離方向の動きが混在している場合に、上下左右の移動であると判断するのは、図１１に示す領域１をｚ軸中心に回転して形成されるすり鉢状の回転体の範囲に移動ベクトルが含まれた場合であり、図１１中に示した移動ベクトル１がこの場合に対応する。また、機器２００の操作に上下左右方向と距離方向の動きが混在している場合に、距離方向の移動であると判断するのは、図１１に示す領域２をｚ軸中心に回転して形成される円錐状の回転体の範囲に移動ベクトルが含まれた場合であり、図１１中に示した移動ベクトル２がこの場合に対応する。移動ベクトル３のように、円錐状の回転体とすり鉢状の回転体のいずれにも含まれない場合は、移動ベクトル３をそのまま出力する（図１０のステップＳ２４）。なお、図１１中に一転鎖線で示す位置まで領域１及び領域２を拡大し、移動ベクトルが円錐状の回転体とすり鉢状の回転体のいずれかに含まれるようにしてもよい。
【００７２】
以上説明したように第１の実施形態によれば、ユーザーが意図する動きを確実に反映させることができ、ユーザーが望む所望の情報を機器２００に表示させることができる。
【００７３】
＜２．第２の実施形態＞
次に、本開示の第２の実施形態について説明する。第２の実施形態は、機器２００で機器１００の画面を撮像し、機器１００の画面に関する情報を機器２００に表示した場合において、機器２００の移動に伴う画面の破綻をキャンセルするものである。
【００７４】
図１２は、距離方向の移動による画面の破綻をキャンセルする例を示す模式図である。ここで、図１２（Ｂ）は、機器１００の表示部１０１に表示された関東地方の地図を示している。また、図１２（Ａ）は、機器２００の撮像部２３０が表示部１０１を撮像して、表示部１０１の表示内容を表示部２０１に表示した状態を示している。
【００７５】
本開示のシステムでは、第１の実施形態で説明したように、機器２００を機器１００に近づけることによって、地図に示された領域の詳細情報を取得して機器２００に表示することができる。
【００７６】
一方、機器２００は機器１００の画面を撮像して表示部２３０に表示しているため、機器２００を機器１００に近づけると、機器２００に表示された画像が拡大され、表示範囲が狭くなる。このため、ユーザーにとっては、詳細情報を表示させるために機器２００を近づけたにも関わらず、機器２００に表示される画像の範囲が狭くなってしまい、所望の範囲を表示できなくなることが想定される。
【００７７】
このため、第２の実施形態では、機器２００を機器１００に近づけた際に、機器１００に表示する画像を縮小することで、機器２００の接近に伴って機器２００に表示される画像が拡大されてしまうことをキャンセルする。この際、機器１００の表示制御部１１０ｃは、検出部１０２が検出した機器２００の位置、移動に関する情報に基づいて、機器２００が機器１００に近づいた場合は、表示部１０１に表示する画像を機器２００の移動に応じて縮小することで、機器２００の表示部２０１に表示される画像の大きさが変化してしまうことをキャンセルする。同様に、機器１００の表示制御部１１０ｃは、検出部１０２が検出した機器２００の位置、移動に関する情報に基づいて、機器２００が機器１００から遠ざかった場合は、表示部１０１に表示する画像を機器２００の移動に応じて拡大することで、機器２００の表示部２０１に表示される画像の大きさが変化してしまうことをキャンセルする。このように、表示制御部１１０ｃは、機器２００によって撮像される表示部１０１の表示内容を制御する被撮像表示制御部として機能する。
【００７８】
図１２（Ａ）において、上段に示す図は、機器２００を機器１００に近づける前における、機器２００の表示部２０１の表示状態を示している。また、下段に示す図は、機器２００を機器１００に近づけた後の機器２００の表示部２０１の表示状態を示している。
【００７９】
図１２（Ａ）は、機器２００における画像の表示を示す模式図であって、機器２００を機器１００に近づけた場合に、機器１００に表示する画像を縮小した場合（適用後）と、機器１００に表示する画像を縮小しない場合（適用前）とを比較して示している。
【００８０】
図１２（Ｂ）は、機器１００における画像の表示を示す模式図であって、機器２００を機器１００に近づけた場合に、機器１００に表示する画像を縮小した場合を示している。図１２（Ｂ）において、上段に示す図は、機器２００を機器１００に近づける前における、機器１００の表示部１０１の表示状態を示している。また、下段に示す図は、機器２００を機器１００に近づけた後の機器１００の表示部１０１の表示状態を示している。
【００８１】
図１２（Ａ）の「適用後」の図に示すように、機器２００を近づけた際に機器１００に表示する画像を縮小すると、機器２００が機器１００に接近することに伴う表示部２０１の画像の拡大をキャンセルすることができ、機器２００の移動前の画像と移動後の画像の表示範囲を同一にすることができる。この場合、図１２（Ｂ）に示すように、機器２００の撮像部２３０が撮像する表示部１０１上の領域Ａ１は、機器２００の機器１００への接近に伴って狭くなるが、表示部１０１に表示する画像が縮小されるため、結果として撮像部２３０が撮像して表示部２０１に表示される領域Ａ１の範囲は変化しない。従って、ユーザーに違和感を与えることがなく、機器２００の接近に伴って、表示範囲が変化しない状態で、表示されている範囲の情報について更に詳細な情報を表示することが可能となる。
【００８２】
一方、図１２（Ａ）の「適用前」の図に示すように、機器２００を近づけた際に機器１００に表示する画像を縮小せずに同一の大きさで表示し続けると、移動前の画像よりも移動後の画像は拡大されてしまう。このため、ユーザーにとっては、詳細情報を表示させるために機器２００を近づけたにも関わらず、機器２００に表示される画像の範囲が狭くなってしまい、ユーザーに違和感を与えてしまう。
【００８３】
図１３は、上下左右方向の移動による画面の破綻をキャンセルする例を示す模式図である。ここで、図１３（Ｂ）は、機器１００の表示部１０１に表示された関東地方の地図を示している。また、図１３（Ａ）は、機器２００の撮像部２３０が表示部１０１を撮像して、表示部１０１の表示内容を表示部２０１に表示した状態を示している。
【００８４】
本開示のシステムでは、第１の実施形態で説明したように、機器２００を上下左右方向に動かすことによって、地図に示された領域の中でユーザーが選択する対象を変化させることができる。
【００８５】
機器２００は機器１００の画面を撮像して表示部２１０に表示しているため、機器２００を機器１００に対して上下左右方向に移動すると、機器２００に表示された画像も移動する。このため、ユーザーにとっては、選択する対象を変化させるために機器２００を上下左右方向に移動したにも関わらず、機器２００に表示される画像の範囲が変化してしまい、所望の対象を選択できなくなることが想定される。
【００８６】
このため、第２の実施形態では、機器２００を機器１００に対して上下左右方向に移動した際に、機器１００に表示する画像を機器２００の移動と同じ方向に移動することで、機器２００の表示部２０１に表示される画像が移動してしまうことをキャンセルする。この際、機器１００の表示制御部１１０ｃは、検出部１０２が検出した機器２００の位置、移動に関する情報に基づいて、表示部１０１に表示する画像を機器２００の移動と同じ方向に移動することで、機器２００の表示部２０１に表示される画像が移動してしまうことをキャンセルする。
【００８７】
図１３（Ａ）において、上段に示す図は、機器２００を上下左右方向に移動する前における、機器２００の表示部２０１の表示状態を示している。また、下段に示す図は、機器２００を上下左右方向に移動した後における、機器２００の表示部２０１の表示状態を示している。
【００８８】
図１３（Ａ）は、機器２００における画像の表示を示す模式図であって、機器２００を上下左右方向に移動した場合に、機器１００に表示する画像を移動した場合（適用後）と、機器１００に表示する画像を移動しない場合（適用前）とを比較して示している。
【００８９】
図１３（Ｂ）は、機器１００に表示される画像を示す模式図であって、機器２００を上下左右方向に移動した場合に、機器１００に表示する画像を上下左右方向に移動した場合を示している。図１２（Ｂ）において、上段に示す図は、機器２００を上下左右方向に移動する前における、機器１００の表示部１０１の表示状態を示している。また、下段に示す図は、機器２００を上下左右方向に移動する前における、機器１００の表示部１０１の表示状態を示している。
【００９０】
図１３（Ａ）の「適用後」の図に示すように、機器２００を上下左右方向に移動した際に機器１００に表示する画像を移動すると、機器２００が上下左右方向に移動することに伴う表示部２０１の画像の移動をキャンセルすることができ、機器２００の移動前の画像と移動後の画像の表示範囲を同一にすることができる。この場合、図１３（Ｂ）に示すように、機器２００の撮像部２３０が撮像する表示部１０１上の領域Ａ２は、機器２００の移動に伴って表示部１０１上で移動するが、表示部１０１に表示する画像が移動するため、結果として撮像部２３０が撮像して表示部２０１に表示される領域Ａ２の範囲は変化しない。従って、ユーザーに違和感を与えることがなく、機器２００の上下左右方向の移動に伴って、表示範囲が変化しない状態で、表示されている範囲の情報から所望の対象を選択することが可能となる。
【００９１】
図１３（Ｂ）に示すように、機器２００を上下左右方向に移動した際に機器１００に表示する画像を反対方向に移動すると、移動前の画像と移動後の表示部２０１における表示範囲を同一とにすることができる。従って、ユーザーに違和感を与えることがなく、機器２００の上下左右方向の移動に伴って、表示部２０１に表示されている範囲が変化しない状態で、表示部２０１に表示されている情報の中から所望の情報を選択することができる。
【００９２】
一方、図１３（Ａ）の「適用前」の図に示すように、機器２００を上下左右方向に移動した際に機器１００に表示する画像を移動せずに同一範囲で表示し続けると、機器２００の表示部２０１上では、移動前の画像に対して移動後の画像が移動してしまう。このため、ユーザーにとっては、表示部２０１上に表示された情報の中から所望の情報を選択するために機器２００を移動したにも関わらず、機器２００に表示される画像の範囲が変化してしまい、違和感が生じてしまう。
【００９３】
以上説明したように第２の実施形態によれば、機器２００の移動に伴う機器２００の表示範囲の変化を機器１００の画像を変化させることによってキャンセルすることができる。従って、ユーザーの操作によって表示画面が破綻してしまうことがなく、ユーザーに違和感を与えることを抑止できる。これにより、ユーザーは機器２００を移動して所望の操作を行うことができる。
【００９４】
＜３．第３の実施形態＞
次に、本開示の第３の実施形態について説明する。第３の実施形態は、第１の実施形態の図１１で説明したステップＳ１６，Ｓ２０の判定基準を、使用するコンテンツ、固定側の機器１００のサイズ、機器１００と機器２００の位置関係に応じて変更するものである。
【００９５】
図１４は、図１１の判断基準の空間図形において、図１１中に一転鎖線で示す位置まで領域１及び領域２を拡大し、移動ベクトルが円錐状の回転体とすり鉢状の回転体のいずれかに含まれるようにした例を示す模式図である。図１１と同様に、図１４は上方からユーザーを見た状態を示しており、図１４に示す領域１をｚ軸を中心として回転させることで形成されるすり鉢状の領域が、上下左右移動を判定する領域であり、残りの円錐領域（領域２をｚ軸を中心として回転させることで形成される円錐領域）が前後移動を判定する領域である。
【００９６】
図１１で説明したように、図１４において、ユーザーの微小時間内の移動方向が領域１の範囲に入っている場合は、上下左右移動であると判断し、前後移動はキャンセルする。一方、ユーザーの微小時間の移動方向が領域２の範囲に入っている場合は、前後移動であると判断し、上下左右移動はキャンセルする。
【００９７】
図１５は、機器１００の表示部１０１に対して機器２００が移動した場合に、図１４に示す判定領域を変化させた状態を示す模式図である。ここで、図１５は、平面的なコンテンツをユーザーが利用する場合を示している。平面的なコンテンツとして、例えば地図を利用した地理・歴史学習のためのアプリケーションが挙げられる。
【００９８】
図１５に示すように、機器２００が機器１００の表示部１０１の正面の範囲に入っている場合は、図１４に示す領域１と領域２は、図１４の状態から変更されることなく判定が行われる。
【００９９】
一方、機器２００が機器１００の表示部１０１の正面の範囲よりも外に出ているときは、機器２００の向きが表示部１０１の中心に向くようにユーザーが機器２００の向きを変える。このため、図１５に示すように、機器２００が機器１００の表示部１０１の正面の範囲よりも横に出ているときは、機器１００の縁の延長線との間の角度分（図１５に示す角度α）だけ、判定のしきい値（図１４に示す領域１，２）を回転シフトさせる。これにより、機器２００の位置に応じて判定のしきい値を変化させることができるため、機器２００が表示部１０１の正面から外れて位置している場合においても、ユーザーは違和感を生じることなく操作を行うことができる。
【０１００】
また、図１６は、立体的なコンテンツ（３Ｄ画像）をユーザーが利用する場合を示している。ここでは、立体的なコンテンツとして３Ｄの地球儀を挙げている。立体的なコンテンツの場合、ユーザーは、上下左右方向の移動を行う際には３Ｄの像を中心とする円周方向に移動する。このため、ユーザーの移動に伴い、機器１００に対して機器２００の角度が変化した分（図１６に示すα）だけ、判定のしきい値（領域１，２）を回転させる。これにより、機器２００の位置に応じて判定のしきい値を変化させることができるため、ユーザーは違和感を生じることなく操作を行うことができる。
【０１０１】
以上説明したように第３の実施形態によれば、第１の実施形態の図１１で説明したステップＳ１６，Ｓ２０の判定基準を、使用するコンテンツ、固定側の機器１００のサイズ、機器１００と機器２００の位置関係に応じて変更するため、ユーザーが違和感を生じることなく機器２００の操作を行うことができる。
【０１０２】
＜４．第４の実施形態＞
次に、本開示の第４の実施形態について説明する。第４の実施形態では、機器２００の上下左右方向、距離方向の移動に伴う表示内容の変化の具体例について説明する。
【０１０３】
図１７は、機器２００の距離方向の移動に伴い、表示部２０１の表示が変化する例を示す模式図である。ここでは、時間−歴史学習コンテンツを例に挙げて説明する。図１７に示すように、機器１００の表示部１０１には、ギリシャ近辺の地図が表示されている。機器２００の撮像部２３０は、表示部１０１を撮像し、機器２００の表示部２０１には、表示部１０１の表示内容が表示される。機器２００が位置１に位置している場合、表示部２０１には、表示部１０１の表示内容とともに、地図に関連する現在（２１世紀）の情報が表示される。
【０１０４】
ユーザーが機器２００を機器１００に近づけて、機器２００が位置２に位置すると、東ローマ帝国時代の情報が地図に表示される。また、ユーザーが機器２００を機器１００に更に近づけて、機器２００が位置３に位置すると、五賢帝時代の情報が地図に表示される。このように、機器２００と機器１００の距離方向の位置に応じて、機器２００の表示部２０１に表示される情報が時間的、時代的に変化する。これにより、図１７に示すシステムを教育ツールとして使用し、複数のユーザーが各自の機器２００を使用することにより、各ユーザーは、機器２００を距離方向に移動することによって、所望の時代の情報を取得することが可能となる。
【０１０５】
なお、図１７の例において、機器１００と機器２００の距離をそのまま時間（時代）の情報として対応させないようにしても良い。時代によって情報の密度が異なるので、情報の密度に応じて距離方向の操作と時間（時代）の対応比を動的に変化させるようにしても良い。
【０１０６】
次に、図１８では、ニュースサイトの表示を例に挙げて説明する。図１８に示すように、機器１００の表示部１０１には、複数のニュース記事の見出しが表示されている。機器２００の撮像部２３０は、表示部１０１を撮像し、機器２００の表示部２０１には、表示部１０１の表示内容が表示される。ユーザーは、機器２００を上下左右方向に移動することによって、表示部２０１に表示されている複数のニュースの中から所望のニュースを選択することができる。選択されたニュースは、周囲の選択されていないニュースよもはハイライトされて表示される。
【０１０７】
ここでは、ユーザーが表示部１０１に表示されたニュースのうち、「ＴＰＰ（Trans-Pacific Partnership；環太平洋経済連携協定）」についての記事を選択して表示部２０１に表示させた場合を例示する。機器２００が位置１に位置している場合は、ＴＰＰに関する最も上位概念のニュース、話題が表示される。ユーザーが機器２００を機器１００に近づけて、機器２００が位置２に位置すると、各新聞社の記事が表示される。また、ユーザーが機器２００を機器１００に更に近づけて、機器２００が位置３に位置すると、ＴＰＰに関する賛成派の意見、反対派の意見、一般市民の掲示板への書き込みなど、より詳細な情報が表示される。このように、機器２００と機器１００の距離方向の位置に応じて、機器２００の表示部２０１に表示されるニュースの詳細度が変化する。これにより、各ユーザーは、機器２００を距離方向に移動することによって、所望の情報を取得することが可能となる。
【０１０８】
このように、図１８に示す例では、機器２００を機器１００に近づけるほど、機器２００に表示される情報が詳細になっていく。なお、ＡR的な映像重畳だけでなく、近づけると背景が詳細な写真に切り替わるなどの操作を行うようにしても良い。
【０１０９】
次に、図１９では、３Ｄコンテンツの表示を例に挙げて説明する。図１９に示すように、機器１００の表示部１０１には、３Ｄの銅像鑑賞コンテンツが表示されている。機器２００の撮像部２３０は、表示部１０１を撮像し、機器２００の表示部２０１には、表示部１０１の表示内容が３Ｄ表示される。
【０１１０】
機器２００が位置１に位置している場合、表示部２０１には、表示部１０１の表示内容とともに、銅像に関する基本情報（銅像の名称、作成者・・・）が表示される。ユーザーが機器２００を機器１００に近づけて、機器２００が位置２に位置すると、銅像にまつわる物語、美術館の情報などが表示される。また、ユーザーが機器２００を機器１００に更に近づけて、機器２００が位置３に位置すると、銅像の各部位の造形から示唆される、銅像の精神性、時代背景、技巧的な知識などの詳細な情報が表示される。このように、ユーザーは、機器２００を前後に移動させることで、３Ｄコンテンツを表示するとともに、関連する情報の詳細度を調整することができる。更に、ユーザーは、上下左右(または回り込み)移動をすることにより、銅像を回り込んで側面から鑑賞することもできる。
【０１１１】
以上説明したように第４の実施形態によれば、機器２００と機器１００の距離を変化させることで、情報の詳細度を調整することができる。また、機器２００を上下左右方向に動かすことで、表示部２０１に表示された情報の中から所望の情報を選択することができる。
【０１１２】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【０１１３】
なお、以下のような構成も本開示の技術的範囲に属する。
（１）ユーザーの操作による操作対象の移動に関する情報を取得する位置情報取得部と、前記移動に関する情報に基づいて、表示内容を制御するための制御情報を生成する表示制御情報生成部と、を備え、前記表示制御情報生成部は、前記移動の第１の方向成分と第２の方向成分のうち、前記第１の方向成分を優先して前記制御情報を生成する、情報処理装置。
【０１１４】
（２）前記表示制御情報生成部は、前記移動の前記第２の方向成分をキャンセルして前記制御情報を生成する、前記（１）に記載の情報処理装置。
【０１１５】
（３）前記表示制御情報生成部は、前記移動の前記第２の方向成分の大きさが所定値以下の場合は前記移動の前記第２の方向成分をキャンセルして前記制御情報を生成する、前記（２）に記載の情報処理装置。
【０１１６】
（４）前記第１の方向成分は、前記表示内容を表示する装置に向かう方向に沿った前記移動の成分であり、前記第２の移動成分は前記表示内容を表示する装置に向かう方向と直行する方向に沿った成分である、前記（３）に記載の情報処理装置。
【０１１７】
（５）前記制御情報に基づいて、表示部に表示する表示内容を制御する表示制御部を更に備える、前記（１）に記載の情報処理装置。
【０１１８】
（６）被写体を撮像する撮像部を更に備え、
前記表示制御部は、前記撮像部で撮像された画像を含む前記表示内容を前記制御情報に基づいて制御する、前記（４）に記載の情報処理装置。
【０１１９】
（７）前記制御情報を、表示部を備える機器に送信する送信部を備える、前記（１）に記載の情報処理装置。
【０１２０】
（８）前記表示部を備える機器は撮像部を有し、前記撮像部によって撮像される被撮像表示部と、前記移動に関する情報に基づいて、前記被撮像表示部における表示内容を制御する被撮像表示制御部と、を備える、前記（７）に記載の情報処理装置。
【０１２１】
（９）前記被撮像表示制御部は、前記移動に関する情報に基づいて、前記撮像部によって撮像される前記被撮像表示部の画像の範囲が変化しないように、前記被撮像表示部における表示内容を制御する、前記（８）に記載の情報処理装置。
【０１２２】
（１０）前記被撮像表示制御部は、前記移動に関する情報に基づいて、前記表示部を備える機器が近づいた場合は前記被撮像表示部における表示内容を縮小し、前記表示部を備える機器が遠ざかった場合は前記被撮像表示部における表示内容を拡大する、前記（８）に記載の情報処理装置。
【０１２３】
（１１）前記被撮像表示制御部は、前記移動に関する情報に基づいて、前記表示部を備える機器が上下左右方向に移動した場合は、当該移動の方向と同じ方向に前記被撮像表示部における表示内容を移動する、前記（８）に記載の情報処理装置。
【０１２４】
（１２）前記表示制御情報生成部は、前記移動に関する情報に基づいて前記所定値を変更する、前記（３）に記載の情報処理装置。
【０１２５】
（１３）前記表示制御部は、前記移動に関する情報に基づいて、前記表示部に表示された情報の中から対象を選択する処理を行う、前記（５）に記載の情報処理装置。
【０１２６】
（１４）前記表示制御部は、前記移動に関する情報に基づいて、前記表示部に表示された情報の詳細度を変更する、前記（５）に記載の情報処理装置。
【０１２７】
（１５）前記表示制御部は、前記移動に関する情報に基づいて、前記表示部に表示された情報の時代を変更して表示する、前記（５）に記載の情報処理装置。
【０１２８】
（１６）ユーザーの操作による移動に関する情報を取得することと、
前記移動が所定方向の移動と前記所定方向以外の移動とを含む場合は前記所定方向以外の移動をキャンセルし、前記移動に関する情報に基づいて、表示内容を制御するための制御情報を生成することと、
を備える、情報処理方法。
【０１２９】
（１７）ユーザーの操作による移動に関する情報を取得する手段、
前記移動が所定方向の移動と前記所定方向以外の移動とを含む場合は前記所定方向以外の移動をキャンセルし、前記移動に関する情報に基づいて、表示内容を制御するための制御情報を生成する手段、
としてコンピュータを機能させるためのプログラム。
【符号の説明】
【０１３０】
１００，２００    機器
１０２    部品
１１０，２１０    ＣＰＵ
１１０ａ，２１０ａ    位置情報取得部
１１０ｂ，２１０ｂ    表示制御情報生成部
１１０ｃ    表示制御部（被撮像表示制御部）
２１０ｃ    表示制御部
【図１】
2013196156.tif 000003
【図２】
2013196156.tif 000004
【図３】
2013196156.tif 000005
【図４】
2013196156.tif 000006
【図５】
2013196156.tif 000007
【図６】
2013196156.tif 000008
【図７】
2013196156.tif 000009
【図８】
2013196156.tif 000010
【図９】
2013196156.tif 000011
【図１０】
2013196156.tif 000012
【図１１】
2013196156.tif 000013
【図１２】
2013196156.tif 000014
【図１３】
2013196156.tif 000015
【図１４】
2013196156.tif 000016
【図１５】
2013196156.tif 000017
【図１６】
2013196156.tif 000018
【図１７】
2013196156.tif 000019
【図１８】
2013196156.tif 000020
【図１９】
2013196156.tif 000021